【手続補正書】
【提出日】平成19年11月5日(2007.11.5)
【手続補正１】
【補正対象書類名】明細書
【補正対象項目名】発明の名称
【補正方法】変更
【補正の内容】
【発明の名称】証紙類識別装置、及び、押印装置
【手続補正２】
【補正対象書類名】明細書
【補正対象項目名】特許請求の範囲
【補正方法】変更
【補正の内容】
【特許請求の範囲】
【請求項１】  
識別対象となる証紙類の表面全域に対応した第１辞書データ、及び、前記証紙類を複数領域に分割した部分的な第２辞書データを記憶した記憶手段と、
紙葉類に証紙類が正常に貼付されているか否かを検知する検知手段と、
前記検知手段により前記証紙類が前記紙葉類に正常に貼付されていることを検知した場合に前記記憶手段に記憶した前記第１辞書データに基づいて前記証紙類を識別するとともに、前記検知手段により前記証紙類が前記紙葉類に正常に貼付されていないことを検知した場合に前記記憶手段に記憶した前記第２辞書データに基づいて前記証紙類を識別する識別手段と、
を備えたことを特徴とする証紙類識別装置。
【請求項２】  
識別対象となる証紙類の表面全域に対応した第１辞書データ、及び、前記証紙類を複数領域に分割した部分的な第２辞書データを記憶した記憶手段と、
紙葉類上に貼付された証紙類の画像データを取得する取得手段と、
前記取得手段により取得された前記画像データに基づいて、証紙類の全面に対応した画像データが欠落しているか否かを検知する検知手段と、
前記検知手段により前記証紙類の前記画像データに欠落がないことを検知した場合に前記記憶手段に記憶した前記第１辞書データに基づいて前記証紙類を識別するとともに、前記検知手段により前記証紙類の前記画像データに欠落があることを検知した場合に前記記憶手段に記憶した前記第２辞書データに基づいて前記証紙類を識別する識別手段と、
を備えたことを特徴とする証紙類識別装置。
【請求項３】  
識別対象となる証紙類の表面全域に対応した第１辞書データ、及び、前記証紙類を複数領域に分割した部分的な第２辞書データを記憶した記憶手段と、
証紙類が貼付された紙葉類を読み取り、画像データを生成する読取手段と、
前記読取手段により生成された前記画像データを取得する取得手段と、
前記取得手段により取得された前記画像データから証紙類領域を抽出する抽出手段と、
前記抽出手段により抽出された前記証紙類に対応する画像データに基づいて、前記証紙類の全面に対応した画像データが欠落しているか否かを検知する検知手段と、
前記記憶手段に記憶した前記第１辞書データ及び前記第２辞書データに基づいて前記証紙類を識別する識別手段と、
前記検知手段により前記証紙類の前記画像データに欠落がないことを検知した場合に前記識別手段が前記記憶手段に記憶した前記第１辞書データに基づいて前記証紙類を識別した識別結果を出力するとともに、前記検知手段により前記証紙類の前記画像データに欠落があることを検知した場合に前記識別手段が前記記憶手段に記憶した前記第２辞書データに基づいて前記証紙類を識別した識別結果を出力する出力手段と、
を備えたことを特徴とする証紙類識別装置。
【請求項４】  
紙葉類を計量する計量部と、
前記紙葉類に貼付された証紙類を識別する識別部と、
前記計量部で計量された前記紙葉類の重量に対して、前記識別部で識別された前記証紙類の金額が適正であるか否かを判別する判別部と、
前記判別部で適正であると判別された前記紙葉類の前記証紙類に対して押印する押印部と、を備え、
前記識別部は、
識別対象となる証紙類の表面全域に対応した第１辞書データ、及び、前記証紙類を複数領域に分割した部分的な第２辞書データを記憶した記憶手段と、
紙葉類に証紙類が正常に貼付されているか否かを検知する検知手段と、
前記検知手段により前記証紙類が前記紙葉類に正常に貼付されていることを検知した場合に前記記憶手段に記憶した前記第１辞書データに基づいて前記証紙類を識別するとともに、前記検知手段により前記証紙類が前記紙葉類に正常に貼付されていないことを検知した場合に前記記憶手段に記憶した前記第２辞書データに基づいて前記証紙類を識別して、前記証紙類の金額を識別する識別手段と、
を備えたことを特徴とする押印装置。
【請求項５】  
紙葉類を計量する計量部と、
前記紙葉類に貼付された証紙類を識別する識別部と、
前記計量部で計量された前記紙葉類の重量に対して、前記識別部で識別された前記証紙類の金額が適正であるか否かを判別する判別部と、
前記判別部で適正であると判別された前記紙葉類の前記証紙類に対して押印する押印部と、を備え、
前記識別部は、
識別対象となる証紙類の表面全域に対応した第１辞書データ、及び、前記証紙類を複数領域に分割した部分的な第２辞書データを記憶した記憶手段と、
紙葉類上に貼付された証紙類の画像データを取得する取得手段と、
前記取得手段により取得された前記画像データに基づいて、証紙類の表面全域に対応した画像データが欠落しているか否かを検知する検知手段と、
前記検知手段により前記証紙類の前記画像データに欠落がないことを検知した場合に前記記憶手段に記憶した前記第１辞書データに基づいて前記証紙類を識別するとともに、前記検知手段により前記証紙類の前記画像データに欠落があることを検知した場合に前記記憶手段に記憶した前記第２辞書データに基づいて前記証紙類を識別して、前記証紙類の金額を識別する識別手段と、
を備えたことを特徴とする押印装置。
【請求項６】  
紙葉類を計量する計量部と、
前記紙葉類に貼付された証紙類を識別する識別部と、
前記計量部で計量された前記紙葉類の重量に対して、前記識別部で識別された前記証紙類の金額が適正であるか否かを判別する判別部と、
前記判別部で適正であると判別された前記紙葉類の前記証紙類に対して押印する押印部と、を備え、
前記識別部は、
識別対象となる証紙類の表面全域に対応した第１辞書データ、及び、前記証紙類を複数領域に分割した部分的な第２辞書データを記憶した記憶手段と、
証紙類が貼付された紙葉類を読み取り、画像データを生成する読取手段と、
前記読取手段により生成された前記画像データを取得する取得手段と、
前記取得手段により取得された前記画像データから証紙類領域を抽出する抽出手段と、
前記抽出手段により抽出された前記証紙類に対応する画像データに基づいて、前記証紙類の全面に対応した画像データが欠落しているか否かを検知する検知手段と、
前記記憶手段に記憶した前記第１辞書データ及び前記第２辞書データに基づいて前記証紙類の金額を識別する識別手段と、
前記検知手段により前記証紙類の前記画像データに欠落がないことを検知した場合に前記識別手段が前記記憶手段に記憶した前記第１辞書データに基づいて前記証紙類を識別した識別結果を出力するとともに、前記検知手段により前記証紙類の前記画像データに欠落があることを検知した場合に前記識別手段が前記記憶手段に記憶した前記第２辞書データに基づいて前記証紙類を識別した識別結果を前記判別部に出力する出力手段と、
を備えたことを特徴とする押印装置。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項４に記載の押印装置は、
紙葉類を計量する計量部と、
前記紙葉類に貼付された証紙類を識別する識別部と、
前記計量部で計量された前記紙葉類の重量に対して、前記識別部で識別された前記証紙類の金額が適正であるか否かを判別する判別部と、
前記判別部で適正であると判別された前記紙葉類の前記証紙類に対して押印する押印部と、を備え、
前記識別部は、
識別対象となる証紙類の表面全域に対応した第１辞書データ、及び、前記証紙類を複数領域に分割した部分的な第２辞書データを記憶した記憶手段と、
紙葉類に証紙類が正常に貼付されているか否かを検知する検知手段と、
前記検知手段により前記証紙類が前記紙葉類に正常に貼付されていることを検知した場合に前記記憶手段に記憶した前記第１辞書データに基づいて前記証紙類を識別するとともに、前記検知手段により前記証紙類が前記紙葉類に正常に貼付されていないことを検知した場合に前記記憶手段に記憶した前記第２辞書データに基づいて前記証紙類を識別して、前記証紙類の金額を識別する識別手段と、
を備えたことを特徴とする。
【手続補正５】
【補正対象書類名】明細書
【補正対象項目名】００１０
【補正方法】削除
【補正の内容】